(57)【特許請求の範囲】
【請求項１】
撮影機構がフレームに組み込まれたカメラボディと、カメラ電源用電池を組み込む電池ケースと、前記カメラボディと前記電池ケースとを覆う外装ケースとを備えたカメラにおいて、
前記電池ケースを前記フレームよりも高い強度を有する材料で形成するとともに、この電池ケースに三脚取り付け用のねじ穴とストラップ取り付け部とを一体形成し、
前記外装ケースに前記ねじ穴を露呈させるねじ穴用切欠と前記ストラップ取り付け部を露呈させるストラップ用切欠とを形成したことを特徴とするカメラ。
【請求項２】
前記電池ケースに、前記カメラ電源用電池を保持する保持部材を固定したことを特徴とする請求項１記載のカメラ。
【請求項３】
前記電池ケースに、これの蓋を開閉自在に取り付ける蓋取り付け部を一体に設けたことを特徴とする請求項１または２記載のカメラ。
【請求項４】
前記電池ケースは、前記カメラボディに連結・固定されることを特徴とする請求項１から３のいずれか１項に記載のカメラ。
【発明の詳細な説明】
【０００１】
【発明の属する技術分野】
本発明は、三脚取り付け用のねじ穴を高い強度の材料で形成したカメラに関するものである。
【０００２】
【従来の技術】
三脚を用いて手ブレのない安定した写真撮影ができるようにしたカメラが各種販売されている。このようなカメラでは、撮影機構等を組み込んだカメラボディの底部に三脚取り付け用のねじ穴が形成されており、これに三脚側のおねじをねじ込んで三脚に取り付けられるようになっている。カメラを三脚に固定するとねじ穴にカメラの重量がかかるから、十分な強度がないとねじ穴が変形・破損する恐れがあった。そのため、高い強度の材料で形成したカメラボディにねじ穴を形成することで、十分な強度をもたせていた。
【０００３】
【発明が解決しようとする課題】
しかしながら、上述したように、ねじ穴に十分な強度をもたせるために、ねじ穴が設けられるカメラボディを高い強度の材料で形成すると、コストアップは避けられなかった。
【０００４】
本発明は上記事情を考慮してなされたもので、高い強度の材料の使用量を減らしてコストダウンを可能にしたカメラを提供することを目的とする。
【０００５】
【課題を解決するための手段】
本発明は上記目的を達成するにあたり、撮影機構がフレームに組み込まれたカメラボディと、カメラ電源用電池を組み込む電池ケースと、前記カメラボディと前記電池ケースとを覆う外装ケースとを備え、前記電池ケースを前記フレームよりも高い強度を有する材料で形成するとともに、この電池ケースに三脚取り付け用のねじ穴とストラップ取り付け部とを一体形成し、前記外装ケースに前記ねじ穴を露呈させるねじ穴用切欠と前記ストラップ取り付け部を露呈させるストラップ用切欠とを形成したことを特徴とする。なお、前記電池ケースには、前記カメラ電源用電池を保持する保持部材を固定しておくことが好ましい。また、前記電池ケースには、これの蓋を開閉自在に取り付ける蓋取り付け部を一体に設けることが好ましい。さらに、前記電池ケースは、前記カメラボディに連結・固定されることが好ましい。
【０００６】
【発明の実施の形態】
本発明のストロボ内蔵型カメラの分解図を示す図２において、ストロボ内蔵型カメラ１は、撮影機構や露光制御装置等がフレーム２ａに組み込まれたカメラボディ２と、このカメラボディ２の左側面にビス止めによって連結・固定される電池ケース３と、これを前後から覆う前ケース４と後ケース５とから構成されている。カメラボディ２のフレーム２ａの中央には、撮影レンズを内蔵したズーム鏡筒６が組み込まれている。フレーム２ａの両側には、写真フイルムをロール形態で収納するフイルムロール室７と、カートリッジを収納するカートリッジ室８とが一体形成されている。
【０００７】
フレーム２ａの上部には、ストロボ発光窓１０と横並びに露出制御用の測光窓１１，対物窓１２，オートフォーカス用の投光窓１３及び受光窓１４等が組み込まれている。ズーム鏡筒６は、カメラ使用時に内蔵された図示しない駆動機構によって前ケース４の前面に設けた開口部１８から突出されて焦点距離を適宜に変更する。ファインダ装置は、対物窓１２の奥に設けられたファインダ変倍レンズが撮影倍率の変化とともに図示しない駆動機構によって移動されて、実際の視野を変化させる。
【０００８】
電池ケース３は、カメラボディ２のフレーム２ａを形成した材料とは異なるフレーム２ａよりも高い強度の材料で形成されている。例えば、前ケース４，後ケース５，フレーム２ａはプラスチック樹脂で形成されており、電池ケース３は金属（軽量なアルミ材等）で形成されている。電池ケース３の上下壁２５，２６には電気接片２７，２８がそれぞれ固定されており、これらの間にカメラ電源用電池２９が縦長に組み込まれる。電気接片２７は、図１に示すように金属バネ片で形成されており、電池２９の組み込みにより弾性変形して、その反撥力で電池２９を長さ方向から電池接片２８との間で挟持するものである。
【０００９】
上下壁２５，２６をつなぐように設けた電池ケース３の仕切り部２１の上下には、電池ケース３の蓋３０を開閉自在に取り付ける取り付け部３１，３２が一体形成されている。取り付け部３１，３２には蓋３０の軸３０ａ，３０ｂが軸支されており、電池ケース３に倒した閉じ位置と、電池ケース３から起こした開き位置との間で開閉自在になっている。
【００１０】
電池ケース３には、仕切り部２１の前面側に縦長にメインコンデンサ２２が組み込まれている。蓋３０の裏側に設けた突起３０ｃには、係合部３１，３２の間に固定したバネ片３３が当接しており、蓋３０は閉じ位置に付勢されている。蓋３０の上下に設けた突起３０ｄ，３０ｅは、蓋３０を閉じ位置にしたときに上壁２５と下壁２６に設けた切欠２５ａ，２６ａにそれぞれ係合して、蓋３０を閉じ位置でロックするものである。
【００１１】
電池ケース３の側面には、ストラップ取り付け部３５が一体形成されている。ストラップ取り付け部３５は、前カバー３と後カバー４の左側面に設けた切欠３ａ，４ａから突出されている。ストラップ取り付け部３５には、ストラップ３６取り付け用の挿通穴３７が形成されている。ストラップ３６は携帯時に手が通される大ループ３６ａと、取り付け用の小ループ３６ｂとから構成されており、小ループ３６ｂを挿通穴３７に通してから、挿通穴３７からでた小ループ３６ｂに大ループ３６ａを通してそのまま引っ張ることで、ストラップ３６の取り付けが行われる。
【００１２】
図１に示すように、電池ケース３の底部に設けた突出部４０には、三脚４１取り付け用のねじ穴４２が形成されている。このねじ穴４２は、前ケース３と後ケース４の底面に設けた切欠３ｂ，４ｂから露呈されている。三脚４１のおねじ４３をねじ穴４２にねじ込むことで、三脚４１にカメラ１が取り付けられる。
【００１３】
上述したようにカメラ１を三脚４１に取り付けた状態だとカメラ１の重量がねじ穴４２にかかるが、ねじ穴４２を、カメラボディ２のフレーム２ａを形成した材料とは種類が異なるフレーム２ａよりも高い強度の材料で形成した電池ケース３に設けているから変形したり、割れたりしない。カメラボディ２のフレーム２を低い強度で安い材料で形成して、カメラの材料コストを下げることができる。
【００１４】
また、電池ケース３に電池２９を組み込むと、電気接片２７が弾性変形されて電池２９をバネ挟持して上下壁２５，２６を開く方向に力がかかるが、上下壁２５，２６は変形したりせず、しっかりと電池２９を保持できる。蓋３０開き時に開き方向に余計な力がかかっても取り付け部３１，３２側が折れたりしない。また、カメラ１をストラップ３６を手に吊り下げて携帯するとカメラ１の重量がストラップ取り付け部３５にかかるが、耐重量がアップしているため折れたりしない。
【００１５】
【発明の効果】
以上のように、本発明のカメラによれば、撮影機構を組み込んだカメラボディのフレーム、カメラ電源用電池組み込み用の電池ケースとからなり、フレームを形成する材料とは種類が異なるフレームよりも高い強度の材料で形成され、カメラボディと連結・固定される電池ケースに三脚取り付け用のねじ穴を設けているから、カメラボディを強度の低い材料で形成してカメラの材料コストを下げることができる。また、電池ケースに、これに組み込んだ電池を保持する保持部材を固定することで、電池を保持部材で保持したときの電池ケースの変形を防止することができ、しっかりと保持できる。電池ケースに、ストラップ取り付け部を一体に設けることにより、ストラップ取り付け部の耐重量をアップさせることができる。電池ケースに、これの蓋を開閉自在に取り付ける取り付け部を一体に設けることにより、蓋を開けすぎたときなどに取り付け部が折れにくくなる。
【図面の簡単な説明】
【図１】本発明のカメラの要部説明図である。
【図２】本発明のカメラの分解斜視図である。
【符号の説明】
１  カメラ
３  電池ケース
２９  電池
４１  三脚
４２  ねじ穴
４３  おねじ
【図１】
0003839913.tif 000002
【図２】
0003839913.tif 000003